(57)【要約】【課題】使用者の利用状況に応じて自動運転を行う浴室換気暖房乾燥装置において、使用者の意思と合致した運転が行われることを目的とする。【解決手段】使用者の利用状況に応じて自動運転を行う浴室換気暖房乾燥装置であって、運転モードを必須として、強弱設定、風向設定、温度設定のうち少なくとも１つ以上の情報で示される運転に関する履歴情報と、履歴情報から最適な運転を予測する運転想定手段１１と、使用者が在宅かどうかを検知する在宅検知手段１３と、使用者が在宅と検知した場合に自動運転の開始の一定時間前に使用者に自動運転を開始する旨を報知するとともに待機状態とする自動運転事前報知手段１４とを備えたことにより、使用者は在宅の際、いつどんな自動運転がはじまるのかが事前にわかり、実行可否の対応が可能となり、使用者の意思と合致した運転が行われるという浴室換気暖房乾燥装置を得られる。【選択図】図１
2012220061.tif 000002
【特許請求の範囲】
【請求項１】
使用者の利用状況に応じて自動運転を行う浴室換気暖房乾燥装置であって、運転モードを必須として、強弱設定、風向設定、温度設定のうち少なくとも１つ以上の情報で示される運転に関する履歴情報と、履歴情報から最適な運転を予測する運転想定手段と、使用者が在宅かどうかを検知する在宅検知手段と、使用者が在宅と検知した場合に自動運転の開始の一定時間前に使用者に自動運転を開始する旨を報知するとともに待機状態とする自動運転事前報知手段とを備えたことを特徴とする浴室換気暖房乾燥装置。
【請求項２】
前記運転想定手段は、履歴情報を１時間単位で取得し、１日単位で重み付けして統計をとり、最適な運転を予測するものとし、運転モードの統計が所定の割合を下回った場合は、自動運転を行わないことを特徴とする請求項１記載の浴室換気暖房乾燥装置。
【請求項３】
前記運転想定手段は、履歴情報を１時間単位で取得し、１日単位で重み付けして統計をとり、最適な運転を予測するものとし、運転モードの統計が所定の割合を下回った場合は、予め記憶された季節毎の自動運転の運転計画による自動運転を採用することを特徴とする請求項１記載の浴室換気暖房乾燥装置。
【請求項４】
使用者が不在と検知した場合で特定の運転モードであった場合には自動運転を行うことを特徴とする請求項１から３のいずれか一項に記載の浴室換気暖房乾燥装置。
【請求項５】
使用者が不在と検知した場合で特定の季節と運転モードであった場合には自動運転を行うことを特徴とする請求項１から３のいずれか一項に記載の浴室換気暖房乾燥装置。
【請求項６】
使用者の操作ミスやいたずら操作を無効操作と判定する無効操作判定手段を備え、無効操作と判定された操作については履歴情報に含めないことを特徴とする請求項１から３のいずれか一項に記載の浴室換気暖房乾燥装置。
【請求項７】
使用者が自動運転を有効にするか無効にするかを選択する自動運転選択手段を備えたことを特徴とする請求項１から６のいずれか一項に記載の浴室換気暖房乾燥装置。
【発明の詳細な説明】
【技術分野】
【０００１】
本発明は、衣類または浴室内を換気、暖房または乾燥するために使用される浴室換気暖房乾燥装置の自動運転に関するものである。
【背景技術】
【０００２】
従来、この種の装置は、使用者の生活パターンは概ね変化はないと仮定し、使用者が運転のスケジュール設定を行うことで設定に応じた自動運転を行うものが知られている（例えば、特許文献１参照）。
【０００３】
また、この種の装置には使用者の運転操作や温度変化などを学習し、学習結果に基づいて自動運転を行うものが知られている（例えば、特許文献２参照）。
【０００４】
以下、その装置について説明する。
【０００５】
自動運転のサイクルの単位として１週間の設定日数を予め設定し、その設定日数分の各曜日毎に自動運転を繰り返しつつ、使用者のスイッチ操作や水位センサの上昇値から使用者の入浴時刻を取得し、予約された自動運転の開始時刻および停止時刻を学習し順次更新することにより、使用者の生活パターンに応じた自動運転を行うものとしている。
【先行技術文献】
【特許文献】
【０００６】
【特許文献１】特許第３５２８６１８号公報
【特許文献２】特許第４１００２９３号公報
【発明の概要】
【発明が解決しようとする課題】
【０００７】
このような従来の使用者の生活パターンを学習して自動運転を行う装置においては、使用者の生活パターンが変化しないことが前提となっており、生活パターンから逸脱する場合、例えば急用で外出する、または旅行や出張で長期不在となる場合など、自動運転が行われると使用者の意思に合致しない場合があるという課題を有していた。
【０００８】
また、使用者の運転操作を学習して自動運転を行う装置において、使用者が意識しなくとも学習に基づいて自動運転が開始されるので、使用者はいつ自動運転がはじまるのかわかりづらいという課題を有していた。
【０００９】
さらに、使用者の運転操作を学習して自動運転を行う装置において、運転操作がパターン化されてないまばらな統計であった場合は、予測された自動運転が使用者の意思に合致しない場合があるという課題を有していた。
【００１０】
また、使用者による操作スイッチの押し間違いや子供のいたずら操作など学習してほしくない操作もあるという課題を有していた。
【００１１】
さらに、使用者が普段自動運転を使用していても都合によって、自動運転にしたい場合とそうでない場合があり、自動運転を行うこと自体が使用者の意思に合致しない場合もあるという課題を有していた。
【００１２】
そこで本発明は、上記従来の課題を解決するものであり、使用者の生活パターンを学習しつつ使用者の意思に合致した自動運転を行う浴室換気暖房乾燥装置を提供することを目的とする。
【課題を解決するための手段】
【００１３】
そして、この目的を達成するために、本発明は、使用者の利用状況に応じて自動運転を行う浴室換気暖房乾燥装置であって、運転モードを必須として、強弱設定、風向設定、温度設定のうち少なくとも１つ以上の情報で示される運転に関する履歴情報と、履歴情報から最適な運転を予測する運転想定手段と、使用者が在宅かどうかを検知する在宅検知手段と、使用者が在宅と検知した場合に自動運転の開始の一定時間前に使用者に自動運転を開始する旨を報知するとともに待機状態とする自動運転事前報知手段とを備えたものであり、これにより所期の目的を達成するものである。
【００１４】
また、運転想定手段は、履歴情報を１時間単位で取得し、１日単位で重み付けして統計をとり、最適な運転を予測するものとし、運転モードの統計が所定の割合を下回った場合は、自動運転を行わないとしたものである。
【００１５】
さらに、運転想定手段は、履歴情報を１時間単位で取得し、１日単位で重み付けして統計をとり、最適な運転を予測するものとし、運転モードの統計が所定の割合を下回った場合は、予め記憶された季節毎の自動運転の運転計画による自動運転を採用するとしたものである。
【００１６】
また、使用者が不在と検知した場合で特定の運転モードであった場合には自動運転を行うとしたものである。
【００１７】
さらに、使用者が不在と検知した場合で特定の季節と運転モードであった場合には自動運転を行うとしたものである。
【００１８】
また、使用者の操作ミスやいたずら操作を無効操作と判定する無効操作判定手段を備え、無効操作と判定された操作については履歴情報に含めないとしたものである。
【００１９】
さらに、使用者が自動運転を有効にするか無効にするかを選択する自動運転選択手段を備えたとしたものである。
【発明の効果】
【００２０】
本発明によれば、使用者の利用状況に応じて自動運転を行う浴室換気暖房乾燥装置であって、運転モードを必須として、強弱設定、風向設定、温度設定のうち少なくとも１つ以上の情報で示される運転に関する履歴情報と、履歴情報から最適な運転を予測する運転想定手段と、使用者が在宅かどうかを検知する在宅検知手段と、使用者が在宅と検知した場合に自動運転の開始の一定時間前に使用者に自動運転を開始する旨を報知するとともに待機状態とする自動運転事前報知手段とを備えた構成にしたことにより、使用者が在宅の際は事前に自動運転開始のアナウンスがあるので、使用者の意図と合致する場合はそのまま、異なる場合は自動運転開始前に止めたり別の運転にしたりできるので、使用者はいつどんな自動運転がはじまるのかが事前にわかり、実行可否の対応が可能となり、使用者の意思と合致した運転が行われるという効果を得ることができる。
【図面の簡単な説明】
【００２１】
【図１】本発明の実施の形態１の浴室換気暖房乾燥装置の構成図
【図２】同浴室換気暖房乾燥装置にて記憶される履歴情報図
【図３】同浴室換気暖房乾燥装置にて記憶される履歴情報の組み合わせ図
【図４】同浴室換気暖房乾燥装置の運転想定手段による全体の処理を示すフローチャート
【図５】運転想定手段で行われる運転想定処理を示すフローチャート
【図６】運転想定処理で行われる自動運転処理を示すフローチャート
【図７】本発明の実施の形態２の運転想定処理を示すフローチャート
【図８】運転想定処理で行われる季節毎運転計画処理を示すフローチャート
【図９】季節毎運転計画のデータ図
【発明を実施するための形態】
【００２２】
本発明の請求項１記載の浴室換気暖房乾燥装置は、使用者の利用状況に応じて自動運転を行う浴室換気暖房乾燥装置であって、運転モードを必須として、強弱設定、風向設定、温度設定のうち少なくとも１つ以上の情報で示される運転に関する履歴情報と、履歴情報から最適な運転を予測する運転想定手段と、使用者が在宅かどうかを検知する在宅検知手段と、使用者が在宅と検知した場合に自動運転の開始の一定時間前に使用者に自動運転を開始する旨を報知するとともに待機状態とする自動運転事前報知手段とを備えたという構成を有する。これにより、使用者が在宅の際は事前に自動運転開始のアナウンスがあるので、使用者の意図と合致する場合はそのまま、異なる場合は自動運転開始前に止めたり別の運転にしたりできるので、使用者はいつどんな自動運転がはじまるのかが事前にわかり、実行可否の対応が可能となり、使用者の意思と合致した運転が行われるという効果を奏する。
【００２３】
また、前記運転想定手段は、履歴情報を１時間単位で取得し、１日単位で重み付けして統計をとり、最適な運転を予測するものとし、運転モードの統計が所定の割合を下回った場合は、自動運転を行わないという構成にしてもよい。これにより、統計が所定の割合に達しない場合は使用者の意思と合致しない可能性が高いため自動運転を行わないとすることで、使用者の意思と合致する可能性が高くなるという効果を奏する。
【００２４】
さらに、前記運転想定手段は、履歴情報を１時間単位で取得し、１日単位で重み付けして統計をとり、最適な運転を予測するものとし、運転モードの統計が所定の割合を下回った場合は、予め記憶された季節毎の自動運転の運転計画による自動運転を採用するという構成にしてもよい。これにより、統計が所定の割合に達しない場合は、統計を取り始めて日が浅い場合が考えられるので、典型的な運転計画を代わりに入れておくことで、使用者の意思と合致する可能性が高くなるという効果を奏する。
【００２５】
また、使用者が不在と検知した場合で特定の運転モードであった場合には自動運転を行うという構成にしてもよい。これにより、例えば衣類乾燥など使用者が不在にしても自動で運転したい場合に対応できるので、使用者の意思と合致した運転が行われるという効果を奏する。
【００２６】
さらに、使用者が不在と検知した場合で特定の季節と運転モードであった場合には自動運転を行うという構成にしてもよい。これにより、例えば冬場の予備暖房など使用者が不在にしても自動で運転したい場合に対応できるので、使用者の意思と合致した運転が行われるという効果を奏する。
【００２７】
また、使用者の操作ミスやいたずら操作を無効操作と判定する無効操作判定手段を備え、無効操作と判定された操作については履歴情報に含めないという構成にしてもよい。これにより、使用者が記憶して欲しくない操作が履歴情報に残らず、より妥当な統計が得られるので、予測される運転が使用者の意思と合致する可能性が高くなるという効果を奏する。
【００２８】
さらに、使用者が自動運転を有効にするか無効にするかを選択する自動運転選択手段を備えたという構成にしてもよい。これにより、使用者が急用で外出する、または旅行や出張で長期不在となる場合など自動運転をして欲しくない場合に、予め自動運転無効を選択することにより対応できるので、自動運転を無効にしたい場合にも対応でき、使用者の意思と合致した運転が行われるという効果を奏する。
【００２９】
以下、本発明の実施の形態について図面を参照しながら説明する。
【００３０】
（実施の形態１）
図１に示すように、浴室１の天井部に設置された浴室換気暖房乾燥装置の本体２は、前記浴室１の空気を循環送風する送風手段としての循環ファン３と、この循環ファン３で循環送風する空気を暖める加温手段４と、浴室１の空気を屋外へ排出する換気ファン５とから構成されている。
【００３１】
そして、本体２の下面には、浴室１へ開口して浴室１の空気を吸いこむ吸い込み口６と、浴室１へ空気を吹き出す吹き出し口７と、この吹き出し口７から吹き出す空気の方向を調整する風向変更手段としてのルーバ８を備えている。また、本体２には、これら循環ファン３、加温手段４、換気ファン５、ルーバ８を組み合わせて駆動する制御部９と、運転動作や設定などの指示を行う遠隔操作装置１０を備えている。
【００３２】
循環ファン３は、クロスフローファンやシロッコファンなどである。
【００３３】
加温手段４は、給湯装置などを介して温水の循環供給を受ける熱交換器を利用するもの、あるいは、ＰＴＣヒータなどのヒータで構成する。
【００３４】
換気ファン５は、シロッコファンなどである。
【００３５】
ルーバ８は、ファンを回転させることで、吸い込み口６を通して浴室１内の空気を吸引し、吹き出し口７を通して浴室１内に吹き出す方向に取り付けられており、吹き出し口７付近に浴室内への風向を調節するための風向変更手段として備えられ、ルーバ８を任意の角度に移動するステッピングモータ８ａにより角度調節が可能となっている。
【００３６】
制御部９は、マイクロコンピュータなどを利用した制御基板により、遠隔操作装置１０からの入力情報と、循環ファン３および換気ファン５のファン回転数情報と、浴室内温度（図示せず）などの温度情報とを入力とし、それらの情報と運転モードまたは運転状態に応じて、循環ファン３と換気ファン５の回転数指令信号と、加温手段４とルーバ８とをそれぞれ駆動するリレーの開閉またはオンオフ信号とを出力するものである。
【００３７】
また、制御部９は運転モードを必須として、強弱設定、風向設定、温度設定のうち少なくとも１つ以上の情報で示される運転に関する履歴情報と、履歴情報から最適な運転を予測する運転想定手段１１と、使用者の操作ミスやいたずら操作を無効操作と判定する無効操作判定手段１２を備え、使用者が在宅かどうかを検知する在宅検知手段１３の情報から、使用者が在宅と検知した場合に自動運転の開始の一定時間前に使用者に自動運転を開始する旨を報知するとともに待機状態とする自動運転事前報知手段１４の制御を行っている。
【００３８】
遠隔操作装置１０は、浴室１内や台所、脱衣室などに設けられた有線方式または電波や光、その他媒体を利用した無線方式の制御部９と双方向に通信可能なリモコンで、各操作スイッチの操作により制御部９に運転モードなどの指令を行うこととなる。遠隔操作装置１０には、乾燥運転モードを指令する乾燥運転スイッチ１０ａ、暖房運転モードを指令する暖房運転スイッチ１０ｂ、換気運転モードを指令する換気運転スイッチ１０ｃ、涼風運転モードを指令する涼風運転スイッチ１０ｄなどが設けられている。前記制御部９は前記遠隔操作装置１０の指令に基づいて、乾燥運転スイッチ１０ａが１回押されると乾燥強運転を実行し、乾燥運転スイッチ１０ａが２回押されると乾燥弱運転を実行し、暖房運転スイッチ１０ｂが１回押されると暖房強運転を実行し、暖房運転スイッチ１０ｂが２回押されると暖房弱運転を実行し、換気運転スイッチ１０ｃが１回押されると換気強運転を実行し、換気運転スイッチ１０ｃが２回押されると換気弱運転を実行し、涼風運転スイッチ１０ｄが押されると涼風運転を実行するように構成されている。また、運転を停止する運転停止スイッチ１０ｅ、運転時間を増加する運転時間設定スイッチ１０ｆ、運転時間を減少する運転時間設定スイッチ１０ｇ、前記吹き出し口７から吹き出される風の向きを切り替えるための風向設定スイッチ１０ｈ、暖房運転など好みの温度設定にできるような温度設定スイッチ１０ｉ、自動運転を有効または無効にするための自動運転設定スイッチ１０ｊなどを備えている。
【００３９】
乾燥強運転、乾燥弱運転は、前記循環ファン３を作動させ、浴室１内の温度が乾燥用の設定温度範囲に維持されるように、加温手段４を作動させ、換気ファン５を作動させて、浴室１内の空気の一部を吸引して排気ダクトを通して屋外に排気させながら、吸い込み口６から吸い込まれた浴室１の空気が加温手段４により加温され、循環ファン３により循環送風され、吹き出し口７から浴室１内に吹き出すようにしている。強弱の違いは制御部９から出力される循環ファン３の回転数指令の高低による吹き出し口７からの通風量の大小の差である。
【００４０】
暖房強運転、暖房弱運転は、換気ファン５を停止させ、循環ファン３を浴室１内に通風される空気の通風量が暖房用の通風量となるよう作動させるとともに、浴室１内の温度が設定温度に維持されるように、吸い込み口６から吸い込まれた浴室１の空気が加温手段４により加温され、循環ファン３により循環送風され、吹き出し口７から浴室１内に吹き出すようにしている。強弱の違いは制御部９から出力される循環ファン３の回転数指令の高低による吹き出し口７からの通風量の大小の差である。
【００４１】
換気強運転、換気弱運転は、循環ファン３を停止させ、加温手段４を停止させるとともに、換気ファン５を作動させ、浴室１内から吸引した空気を排気ダクトを通して屋外に排気するようにしている。強弱の違いは制御部９から出力される換気ファン５の回転数指令の高低による屋外への排気量の大小の差である。
【００４２】
涼風運転は、加温手段４を停止させ、循環ファン３を作動させるとともに、換気ファン５を作動させて、浴室１内の空気の一部を吸引して排気ダクトを通して屋外に排気させながら、吸い込み口６から吸い込まれた浴室１の空気が加温手段４により加温されることなく、循環ファン３により循環送風され、吹き出し口７から浴室１内に吹き出すようにしている。
【００４３】
運転想定手段１１は、前記制御部９の処理であり、図２の履歴情報の例に示すように運転モード、強弱設定、風向設定、温度設定などの履歴情報を１時間単位で取得し、ＥＥＰＲＯＭなどに記憶しておき、１日単位ごとに重み付けして３０日分の統計から最も多い組み合わせの運転を想定し、当日の運転想定結果を出力するものである。重み付けについては直近の記憶を使用者の意図する設定として優先すべく割合を重くしている。日時についてはマイクロコンピュータの時計機能などから取得する。運転モードによっては強弱設定、風向設定、温度設定がないものがあるため、記憶される履歴情報の組み合わせ例を図３に示す。涼風運転には強弱設定、温度設定がなく、換気運転には風向設定、温度設定がなく、乾燥運転には温度設定がない。１時間単位で取得する履歴情報の確定については、例えば２０分毎に運転モード、強弱設定、風向設定、温度設定をマイクロコンピュータのＲＡＭ領域に仮取得しておき、１時間が経過した際に多数決による判定により確定し、確定した１時間単位の履歴情報をＥＥＰＲＯＭへ記憶する。
【００４４】
無効操作判定手段１２は、制御部９の処理であり、使用者が操作を行ってから所定時間以内、例えば５秒以内に再度操作があった場合には無効操作として履歴情報記憶の対象外とする。
【００４５】
在宅検知手段１３は、いずれかの部屋の照明を点灯した時に在宅、全て消灯とした時に不在と検知するもの、または人感センサなどにより使用者の在、不在を検知する。
【００４６】
自動運転事前報知手段１４は、前記遠隔操作装置１０に内臓され、自動運転の開始の一定時間前に使用者に自動運転を開始する旨を音声、ブザー、ＬＥＤの点灯、点滅などで使用者に報知する。
【００４７】
運転想定手段１１による処理の全体フローについて図４を参照しながら説明する。図４に示すように、統計データを取得し、自動運転が有効の場合に取得されたデータから自動運転を予測する運転想定処理を行う。ステップＳ００１において、統計データとして図２の履歴情報の例で先述した１時間単位のデータを取得する。ステップＳ００２において、前記自動運転設定スイッチ１０ｊにより自動運転が有効となっている場合はステップＳ００３の運転想定処理を行う。
【００４８】
次に、運転想定処理について図５を参照しながら説明する。図５に示すように、ステップＳ００４において、前記統計データを１日単位で重み付けして統計を取って想定した運転想定結果の運転モードの割合が６０％以上であれば使用者の生活パターンと判断して、使用者の意図と合致していると認識し、ステップＳ００５の自動運転処理を行う。運転想定結果の運転モードの割合が６０％未満の場合は、規則性がないと判断して自動運転処理を行わない。
【００４９】
次に、自動運転処理について図６を参照しながら説明する。図６に示すように、自動運転開始１０分前の処理と、使用者が在宅か否か、自動運転が特定の条件に合致するか否かにより自動運転開始の事前報知の実行可否、自動運転の実行可否を処理する。ステップＳ００６において、自動運転の開始１０分前であればステップＳ００７の１０分間待機状態とするタイマをスタートする。ステップＳ００８において、前記在宅検知手段１３により使用者が在宅と検知した場合は、ステップＳ００９の自動運転事前報知、待機処理を行う。使用者が不在と検知した場合は、ステップＳ０１０において、自動運転の運転モードが乾燥運転、また、ステップＳ０１１において、季節が冬で自動運転の運転モードが暖房運転であった場合には、自動運転事前報知、待機処理を行わずに、ステップＳ０１２に移行する。ステップＳ０１２において、１０分間待機状態とするタイマがタイムアップしていれば１０分間の待機状態を完了したと判断してステップＳ０１３の自動運転を開始する自動運転開始処理を行う。
【００５０】
このような構成によれば、使用者の利用状況に応じて自動運転を行う浴室換気暖房乾燥装置であって、運転モードを必須として、強弱設定、風向設定、温度設定のうち少なくとも１つ以上の情報で示される運転に関する履歴情報と、履歴情報から最適な運転を予測する運転想定手段と、使用者が在宅かどうかを検知する在宅検知手段と、使用者が在宅と検知した場合に自動運転の開始の一定時間前に使用者に自動運転を開始する旨を報知するとともに待機状態とする自動運転事前報知手段とを備えた構成にしたことにより、使用者が在宅の際は事前に自動運転開始のアナウンスがあるので、使用者の意図と合致する場合はそのまま、異なる場合は自動運転開始前に止めたり別の運転にしたりできるので、使用者はいつどんな自動運転がはじまるのかが事前にわかり、実行可否の対応が可能となり、使用者の意思と合致した運転が行われるという効果を得ることができる。
【００５１】
また、前記運転想定手段は、履歴情報を１時間単位で取得し、１日単位で重み付けして統計をとり、最適な運転を予測するものとし、運転モードの統計が所定の割合を下回った場合は、自動運転を行わないという構成にしたことにより、統計が所定の割合に達しない場合は使用者の意思と合致しない可能性が高いため自動運転を行わないとすることで、使用者の意思と合致する可能性が高くなるという効果を得ることができる。
【００５２】
さらに、前記在宅検知手段により使用者が不在と検知した場合で特定の運転モードであった場合には自動運転を行うという構成にしたことにより、例えば衣類乾燥など使用者が不在にしても自動で運転したい場合に対応できるので、使用者の意思と合致した運転が行われるという効果を得ることができる。
【００５３】
また、前記在宅検知手段により使用者が不在と検知した場合で特定の季節と運転モードであった場合には自動運転を行うという構成にしたことにより、例えば冬場の予備暖房など使用者が不在にしても自動で運転したい場合に対応できるので、使用者の意思と合致した運転が行われるという効果を得ることができる。
【００５４】
さらに、使用者の操作ミスやいたずら操作を無効操作と判定する無効操作判定手段を備え、無効操作と判定された操作については履歴情報に含めないという構成にしたことにより、使用者が記憶して欲しくない操作が履歴情報に残らず、より妥当な統計が得られるので、予測される運転が使用者の意思と合致する可能性が高くなるという効果を得ることができる。
【００５５】
さらに、使用者が自動運転を有効にするか無効にするかを選択する自動運転選択手段を備えたという構成にしたことにより、使用者が急用で外出する、または旅行や出張で長期不在となる場合など自動運転をして欲しくない場合に、予め自動運転無効を選択することにより対応できるので、自動運転を無効にしたい場合にも対応でき、使用者の意思と合致した運転が行われるという効果を得ることができる。
【００５６】
なお、運転想定処理について運転モードの割合を６０％以上で使用者の生活パターンであると判断したが、使用者によってバラツキ度合いは異なるので、しきい値は５０％〜８０％の間で調整することが望ましい。
【００５７】
なお、運転想定手段について図２の履歴情報の例にて１日単位ごとに重み付けして３０日分の統計から運転を想定し、当日の運転想定結果を出力するものとしたが、曜日単位ごとに重み付けして運転を想定し、当日の運転想定結果を出力するものとしても良い。
【００５８】
（実施の形態２）
実施の形態１において運転想定処理は運転モードの割合が６０％未満の場合は、規則性がないと判断して自動運転処理を行わないとしたが、季節毎に典型的な運転計画を運転想定結果の代わりに提案するとしたものである。この運転想定処理について図７を参照しながら説明する。図７に示すように、ステップＳ０１４において、得られた前記統計データを１日単位で重み付けして統計を取って想定した運転想定結果の運転モードの割合が６０％以上であれば使用者の生活パターンと判断して、使用者の意図と合致していると認識し、ステップＳ０１５の自動運転処理を行う。自動運転処理については実施の形態１と同様であるため説明は省略する。運転想定結果の運転モードの割合が６０％未満の場合は、規則性がないと判断して、ステップＳ０１６の季節毎に典型的な運転計画を運転想定結果の代わりに使用者に提案する季節毎運転計画データ取得処理を行う。
【００５９】
季節毎運転計画データ取得処理について図８を参照しながら説明する。図８に示すように、ステップＳ０１７において、マイクロコンピュータの時計機能などから取得した日時から３月から５月であった場合には、季節は春であると判定し、ステップＳ０１８の春用の運転計画を運転想定結果の代わりとして読み込む春用運転計画読み込み処理を行う。ステップＳ０１９において、ステップＳ０１７と同様に日時から６月から８月であった場合には、季節は夏であると判定し、ステップＳ０２０の夏用の運転計画を運転想定結果の代わりとして読み込む夏用運転計画読み込み処理を行う。ステップＳ０２１において、ステップＳ０１７と同様に日時から９月から１１月であった場合には、季節は秋であると判定し、ステップＳ０２２の秋用の運転計画を運転想定結果の代わりとして読み込む秋用運転計画読み込み処理を行い、上記いずれでもない１２月、１月、２月であった場合には、季節は冬であると判定し、ステップＳ０２３の冬用の運転計画を運転想定結果の代わりとして読み込む冬用運転計画読み込み処理を行う。
【００６０】
季節毎運転計画データについてデータ例を図９に示す。春、夏、秋、冬毎に一般的な使用例として１時間単位の運転計画がマイクロコンピュータのＲＯＭ領域もしくはＥＥＰＲＯＭなどの記憶手段により記憶されている。
【００６１】
このような構成によれば、前記運転想定手段は、履歴情報を１時間単位で取得し、１日単位で重み付けして統計をとり、最適な運転を予測するものとし、運転モードの統計が所定の割合を下回った場合は、予め記憶された季節毎の自動運転の運転計画による自動運転を採用することにより、統計が所定の割合に達しない場合は、統計を取り始めて日が浅い場合が考えられるので、典型的な運転計画を代わりに入れておくことで、使用者の意思と合致する可能性が高くなるという効果を得ることができる。
【産業上の利用可能性】
【００６２】
本発明にかかる浴室換気暖房乾燥装置は、使用者がいつどんな自動運転がはじまるのかが事前にわかり、実行可否の対応が可能となり、使用者の意思と合致した運転が行われることを可能とするものであるので、浴室のみに限らず、空気調和装置などへの用途にも有用である。
【符号の説明】
【００６３】
１      浴室
２      本体
３      送風手段（循環ファン）
４      加温手段
５      換気ファン
６      吸い込み口
７      吹き出し口
８      風向変更手段（ルーバ）
８ａ    ステッピングモータ
９      制御部
１０    遠隔操作装置
１０ａ  乾燥運転スイッチ
１０ｂ  暖房運転スイッチ
１０ｃ  換気運転スイッチ
１０ｄ  涼風運転スイッチ
１０ｅ  運転停止スイッチ
１０ｆ  運転時間設定スイッチ
１０ｇ  運転時間設定スイッチ
１０ｈ  風向設定スイッチ
１０ｉ  温度設定スイッチ
１０ｊ  自動運転設定スイッチ
１１    運転想定手段
１２    無効操作判定手段
１３    在宅検知手段
１４    自動運転事前報知手段
【図１】
2012220061.tif 000003
【図２】
2012220061.tif 000004
【図３】
2012220061.tif 000005
【図４】
2012220061.tif 000006
【図５】
2012220061.tif 000007
【図６】
2012220061.tif 000008
【図７】
2012220061.tif 000009
【図８】
2012220061.tif 000010
【図９】
2012220061.tif 000011